(57)【要約】    【課題】移動体あるいは歩行者が現在居る場所あるいは周辺地域に関する報知情報を含む超音波信号あるいは高周波信号あるいは光信号を発信し、当該移動体あるいは歩行者を誘導しあるいは移動する際の困難を克服して自力で移動することを支援するための情報発信装置に関するものである。    【解決手段】情報発信手段および／あるいは受信手段３２は、アンテナ切替器１２により周期的に切替えられ、複数のアンテナ１１ａ、１１ｂ、１１ｃ、１１ｄに対して複数ビットで構成されるシステム同期信号と距離あるいは方向あるいはこれらの両方を測定するための測定信号と当該複数のアンテナの設置状態を示す情報を含む識別情報あるいは場所情報あるいは位置情報あるいはエリア情報あるいは移動あるいは歩行を困難にする状況を克服するため必要な情報あるいはこれらを組合わせた報知情報を携帯端末４に向けて発信している。  【選択図】図１
2007193766.tif 000002
【特許請求の範囲】
【請求項１】
複数の送受波器あるいは複数のアンテナを周期的に切替えながら少なくとも同期を確立するための同期信号と識別情報あるいは場所情報あるいは位置情報あるいはエリア情報あるいは移動あるいは歩行を困難にする状況を克服するための情報あるいはこれらを組合わせた報知情報と位置あるいは場所あるいは方向あるいはこれらの組合わせを測位しあるいは標定するための測定信号を含む超音波信号あるいは高周波信号あるいは光信号を発信する情報発信手段を移動体あるいは歩行者が移動しあるいは歩行する径路の要所に設置し当該情報発信手段により当該移動体あるいは歩行者に対して移動を困難にする状況を克服するための情報を提供して当該移動体あるいは歩行者を誘導しあるいは移動を支援することを特徴とする移動体あるいは歩行者の移動を支援するための情報発信装置
【請求項２】
複数の送受波器あるいは複数のアンテナを周期的に切替えながら少なくとも同期を確立するための同期信号と識別情報あるいは場所情報あるいは位置情報あるいはエリア情報あるいはこれらを組合わせた報知情報と位置あるいは場所あるいは方向あるいはこれらの組合わせを測位しあるいは標定するための測定信号を含む超音波信号あるいは高周波信号あるいは光信号を発信するための第一の情報発信手段と少なくとも表示パネルおよび／あるいは操作パネルを用いて識別情報あるいは場所情報あるいは位置情報あるいはエリア情報あるいは移動あるいは歩行を困難にする状況を克服するための情報あるいはこれらの組合わせを発信するための第二の情報発信手段を移動体あるいは歩行者が移動しあるいは歩行する径路の要所に設置し当該第一の情報発信手段により移動体あるいは歩行者を誘導しあるいは移動を支援して当該第二の情報発信手段に向けて誘導しあるいは接近することを支援することを特徴とする歩行者の移動を支援するための情報発信装置
【請求項３】
当該情報発信手段に搭載された複数の送受波器あるいは複数のアンテナが同一方向に向けて指向性を有し当該指向性の方向を少なくとも当該情報発信手段の前方向に向けて０°から１８０°の傾斜角を持たせて設置し移動体あるいは歩行者に向けて当該超音波信号あるいは高周波信号あるいは光信号を発信することを特徴とする請求項第１項から第２項に記載の移動体あるいは歩行者の移動を支援するための情報発信装置
【請求項４】
当該複数の送受波器あるいは複数のアンテナの間隔が当該複数の送受波器あるいは複数のアンテナが発信しあるいは受信する超音波信号あるいは高周波信号あるいは光信号の搬送波信号あるいは副搬送波信号あるいは変調信号あるいはベースバンド信号の波長の１波長以下の間隔で配置され当該複数の送受波器あるいは複数のアンテナの中間部および／あるいは周辺部に吸収体および／あるいは遮蔽体を設けおよび／あるいは当該複数のアンテナに２点給電式のセラミックアンテナを用いることにより当該複数の送受波器間あるいは複数のアンテナ間の結合量を低減し当該複数の送受波器あるいは複数のアンテナが個別にあるいはグループとして独立して機能させることを特徴とする請求項第１項から第３項に記載の移動体あるいは歩行者の移動を支援するための情報発信装置
【請求項５】
当該複数の送受波器あるいは複数のアンテナが当該超音波信号あるいは高周波信号あるいは光信号の搬送波信号あるいは副搬送波信号あるいは変調信号あるいはベースバンド信号の波長の１波長以下の間隔で配置され周期的に切替えられて複数組設けられ当該複数組が当該超音波信号あるいは高周波信号あるいは光信号の搬送波信号あるいは副搬送波信号あるいは変調信号あるいはベースバンド信号の波長の１波長以上の間隔で配置され周期的に切替えられていることを特徴とする請求項第１項から第４項に記載の移動体あるいは歩行者の移動を支援するための情報発信装置
【請求項６】
当該情報発信手段の送信電力をサービスエリアに合わせて設定するための設定手段を有しあるいは当該情報発信手段に併設した受信手段が発信要求を受信した時に当該情報発信手段を起動しあるいは一定時間発信を継続しあるいは間欠発信の周期を短くしあるいは当該受信手段が受信した受信電力の値に応じて当該情報発信手段の送信電力を制御することを特徴とする請求項第１項から第５項に記載の移動体あるいは歩行者の移動を支援するための情報発信装置
【請求項７】
当該情報発信手段が外部からの情報を受信するための受信手段を有しおよび／あるいは外部からの情報を受信するための受信手段と接続され周辺に設けられた他の情報発信手段との同期運転を確保するために当該受信手段により受信された情報に同期して同期運転を確保することを特徴とする請求項第１項から第６項に記載の移動体あるいは歩行者の移動を支援するための情報発信装置
【請求項８】
当該情報発信手段が発信する超音波信号あるいは高周波信号あるいは光信号を当該移動体あるいは歩行者に搭載しあるいは装着した送受波器あるいはアンテナを用いて受信し当該送受話器あるいはアンテナの位置を測位しおよび／あるいは向かっている方向を標定することによって当該移動体あるいは歩行者を誘導しあるいは移動を支援することを特徴とする請求項第１項から第７項に記載の移動体あるいは歩行者の移動を支援するための情報発信装置
【請求項９】
当該情報発信手段が複数箇所に設置される場合当該複数の情報発信手段に搭載された複数の送受波器あるいは複数のアンテナの指向性ビームが当該移動体あるいは歩行者の進行方向に対向して前方向および／あるいは後方向から交差するように配置されることを特徴とする請求項第１項から第８項に記載の移動体あるいは歩行者の移動を支援するための情報発信装置
【請求項１０】
当該複数の情報発信手段が横断歩道の安全地帯あるいは横断歩道の交差点に設置されあるいは階段の踊り場に設置されあるいはプラットホークあるいはバリアフリ道路に沿って設けられており当該複数の情報発信手段に搭載された複数の送受波器あるいはアンテナの指向性ビームの方向が当該横断歩道あるいは当該階段あるいは当該プラットホームあるいはバリアフリ道路に沿って向けられており当該横断歩道あるいは階段あるいはプラットホームあるいはバリアフリ道路を歩行する歩行者の進行方向に対向して前方向および／あるいは後方向から交差するように配置され当該歩行者が当該横断歩道あるいは階段あるいはプラットホームあるいはバリアフリ道路の枠内を安全に歩行するよう支援することを特徴とする請求項第１項から第９項に記載の移動体あるいは歩行者の移動を支援するための情報発信装置
【請求項１１】
当該移動体あるいは歩行者に搭載しあるいは装着する送受波器あるいはアンテナが指向性ビームを構成し当該指向性ビームの方向が当該移動体あるいは歩行者が向かっている方向に対向して前方向および／あるいは後方向を向くよう構成されマルチパスによる影響を軽減することを特徴とする請求項第１項から第１０項に記載の移動体あるいは歩行者の移動を支援するための情報発信装置
【請求項１２】
当該情報発信手段がプラットホームあるいは階段あるいは通路あるいは歩道あるいは横断歩道あるいはバリアフリ道路あるいは移動体あるいは歩行者が移動する径路の上部あるいは下部あるいは側部あるいはこれらの組合わせによる個所に設置されることを特徴とする請求項第１項から第１１項に記載の移動体あるいは歩行者の移動を支援するための情報発信装置
【請求項１３】
当該情報発信手段が歩行者のための交通信号の状態を含む情報を受信し当該歩行者に対して少なくとも赤信号と青信号のいずれかとその残り時間を報知することを特徴とする請求項第１項から第１２項に記載の移動体あるいは歩行者の移動を支援するための情報発信装置
【請求項１４】
当該歩行者に装着する送受話器あるいはアンテナを当該受信手段に接続するためのケーブルにバイブレータの起動信号を重畳しおよび／あるいは当該送受波器あるいはアンテナにバイブレータを組み込むことによって当該歩行者に対して振動を伝えることにより当該歩行者の移動を支援することを特徴とする請求項第１項から第１３項に記載の移動体あるいは歩行者の移動を支援するための情報発信装置
【発明の詳細な説明】
【技術分野】
【０００１】
この発明は、移動体あるいは歩行者が現在居る場所あるいは位置の周辺に設置された情報発信装置から発信される超音波信号あるいは高周波信号あるいは光信号を受信することで当該移動体あるいは歩行者を誘導しあるいは移動する際の困難を克服して自力で移動することを支援するための情報発信装置に関するものである。
【背景技術】
【０００２】
図８は、特許文献１に記載されている従来の「無線マーカ」の基本構成を示す図であり、１１ａ、１１ｂ、１１ｃ、１１ｄは送信アンテナ、３１はアンテナ部、３２は情報発信手段あるいは/および受信手段、３３は電源装置および／あるいは蓄電装置、３４は筐体、３５は取付け金具、１２ａ、１２ｂはアンテナの間隔であり、送信アンテナ１１ａ、１１ｂ、１１ｃ、１１ｄは高誘電率のセラミックを用いた円偏波指向性アンテナであり指向性を下方向に向けアンテナ間の間隔１２ａ、１２ｂを搬送波信号あるいは副搬送波信号あるいは変調信号の１波長以下（通常４分の１波長程度）にして配置される。
従来の無線マーカの真下近くにある端末装置は、当該送信アンテナ１１ａ、１１ｂ、１１ｃ、１１ｄから発信される高周波信号の搬送波信号あるいは副搬送波信号あるいは変調信号の位相差を検出することで当該無線マーカの真下からの位置と方向を測位しあるいは標定することができる。
従来の「無線マーカ」は上記の通り構成されているので応用範囲が限られる問題点があり、図５に示す位置測位実験の結果を通して新たな価値を見い出し機能を附加することで本発明が実現できた。
また、特許文献２に記載されている従来の「アクテイブタグ装置」は、複数の送受波器あるいは複数のアンテナを周期的に切替えながら超音波信号あるいは高周波信号あるいは光信号を発信するアクテイブ装置を用いて場所あるいは位置あるいは方向を高精度で測位する基本技術が記述されており、本発明は当該基本技術を発展させたものである。
【０００３】
また、特許文献３に記載されている従来の「情報発信装置、携帯端末装置および店舗誘導システム」は、店舗のＩＤと当該店舗が属するジャンル情報とを含む店舗情報を繰返し発信し、携帯端末で当該情報を受信する際に店舗の方向を標定することができるので、当該店舗に向けて接近することができる。しかし、方向の標定が携帯端末に搭載した無指向性アンテナと指向性アンテナを切替える方向探知機を用いて行なわれており、本発明のように当該情報発信装置からの高周波信号を単一のアンテナで受信することで高精度で場所あるいは位置と方向を測位しあるいは標定することができず、また、本発明のように２基のアンテナを歩行者の両肩に装着することで歩行者の向いている方向を高精度で標定して歩行者を誘導する手段が準備されていない。
また、特許文献４に記載されている従来の「盲導システムおよび盲導方法」は、携帯型盲動装置が別途ＧＰＳ等を利用して自己の位置を測位する手段を備えており、情報発信装置から発信される対象物に関する位置および名称等を受信することで新しい情報を作り出すとされており、本発明のように、当該情報発信装置へ接近するための誘導手段が準備されておらず、当該情報発信装置を用いて歩行者を誘導し移動を支援する手段をもっていない。
また、特許文献５に記載されている従来の「歩行者情報提供システム」は、情報発信装置からＩＤ情報を読出し、当該ＩＤ情報に基づいて位置情報を呼び出し、歩行者の要求に応じた位置環境情報を提供するものであり、本発明のように、当該情報発信装置へ接近する手段が準備されておらず、当該情報発信装置を用いて歩行者を誘導し移動を支援する手段をもっていない。
また、特許文献６に記載されている従来の「位置情報発信装置」は、ＧＰＳ衛星を利用して現在位置を測定し、別のフオーマットで位置情報として発信するものであり、本発明のように、当該情報発信装置へ接近するための手段が準備されておらず、当該情報発信装置を用いて歩行者を誘導し移動を支援する手段をもっていない。
【特許文献１】特願２００５−３６３１７１号
【特許文献２】特願２００５−２１３６４３号
【特許文献３】特開２００５−２２２４０７号
【特許文献４】特開２００３−３１７１８５号
【特許文献５】特開２００２−１７０１９２号
【特許文献６】特開平６−１８６４８号
【発明の開示】
【発明が解決しようとする課題】
【０００４】
従来の無線マーカあるいはアクテイブタグ装置では、当該無線マーカあるいはアクテイブタグ装置に搭載されあるいは接続された複数の送受波器あるいは複数のアンテナを周期的に切替えながら発信される超音波信号あるいは高周波信号あるいは光波信号を移動体に搭載しあるいは歩行者が携帯する端末によって現在居る位置あるいは場所あるいは向かっている方向を高精度で測位しあるいは標定することができるが、当該測位結果あるいは標定結果を利用して当該移動体あるいは歩行者が移動あるいは歩行の困難な状態を克服して自力で移動あるいは歩行するために必要な情報を場所毎にあるいはエリア毎に的確な情報をリアルタイムで取得した情報に基づいて移動体あるいは歩行者を誘導し移動あるいは歩行を支援する方法が記載されていない問題点がある。
本発明ではこれらの問題を解決するためにリアルタイムで情報を発信するための情報発信装置を設け移動あるいは歩行の誘導し支援を行なうための「移動体あるいは歩行者の移動を支援するための情報発信装置」を提供する。
【課題を解決するための手段】
【０００５】
この発明に係わる移動体あるいは歩行者の移動を支援するための情報発信装置は、複数の送受波器あるいは複数のアンテナを周期的に切替えながら少なくとも同期を確立するための同期信号と識別情報あるいは場所情報あるいは位置情報あるいはエリア情報あるいは移動あるいは歩行を困難にする状況を克服するための情報あるいはこれらを組合わせた報知情報と位置あるいは場所あるいは方向あるいはこれらの組合わせを測位しあるいは標定するための測定信号を含む超音波信号あるいは高周波信号あるいは光信号を発信するためのものであり、移動体あるいは歩行者が移動しあるいは歩行する径路の要所に設置し当該移動体あるいは歩行者が移動を困難にする状況を克服するための情報を提供して当該移動体あるいは歩行者を誘導しあるいは移動を支援する役割を果たすものである。
【発明の効果】
【０００６】
従来の無線マーカあるいはアクテイブタグ装置では、移動体に搭載しあるいは歩行者が携帯する端末によって現在居る位置あるいは場所あるいは向かっている方向を高精度で測位しあるいは標定することができるが、当該測位結果あるいは標定結果を利用して当該移動体あるいは歩行者が移動あるいは歩行の困難な状態を克服して自力で移動あるいは歩行するために必要な情報を場所毎にあるいはエリア毎にリアルタイムで取得した情報に基づいて移動体あるいは歩行者を誘導し移動あるいは歩行を支援することが出来ない問題点がある。
本発明の移動体あるいは歩行者の移動を支援するための情報発信装置を移動体あるいは歩行者が移動しあるいは歩行する径路に設置することにより、当該移動体あるいは歩行者に対して移動を困難にする状況を克服するための情報を提供して当該移動体あるいは歩行者を誘導しあるいは移動を支援する役割を果たすことができるメリットがある。
【発明を実施するための最良の形態】
【０００７】
この発明に係わる移動体あるいは歩行者の移動を支援するための情報発信装置は、図１に示すように、複数のアンテナ１１ａ〜１１ｄとアンテナ切替器１２によってアンテナ部３１を構成し、各々のアンテナに対応して情報発信手段および／あるいは受信手段３２を周期的に切替えながら同期を確立するための同期信号とデータ蓄積部３７に蓄積した識別情報あるいは場所情報あるいは位置情報あるいはエリア情報あるいは移動あるいは歩行を困難にする状況を克服するための情報と位置あるいは場所あるいは方向あるいはこれらの組合わせを測位しあるいは標定するための測定信号を含む高周波信号を発信する。
あるいは、当該情報発信装置の周辺に他の情報発信装置が配置される場合には外部に設けられたアンテナ３８を用いて外部から発信された同期情報を受信して同期運転を確保することができる。
当該発信された高周波信号を２基のアンテナ４１ａと４１ｂを搭載した携帯端末４で受信することで当該携帯端末４に接続された２基のアンテナの位置を高精度で測位することが可能となり、当該移動体あるいは歩行者が移動することを困難にする状況を克服するために必要な情報を提供して当該移動体あるいは歩行者を誘導しあるいは移動を支援することができる。
図２では、当該移動体あるいは歩行者の移動を支援するための情報発信装置３を階段の踊り場１０２の側壁に傾斜角を持たせて設置し歩行者が階段１０１を安全に昇ることができるよう誘導しあるいは支援をすることができる。
図３では、複数の情報発信装置１ａ〜１ｈを交差点の周辺の横断歩道５１ａ〜５１ｄの方向１３ａ〜１３ｈに向けて配置し、外部に設けたマスター局５２から発信される同期運転に必要な情報を受信することで同期を確保する。
【０００８】
図４では、一例として、情報発信装置１ａと１ｈが指向性の方向１３ａと１３ｈを対向させて設置され、横断歩道５１ａ上を歩行する歩行者に向けて同期信号と測定信号を間欠的に発信しているものとする。歩行者は、２基のアンテナ４１ａと４１ｂおよび携帯端末４を装備しており、２基のアンテナの位置を高精度で測位することで、当該歩行者の現在位置と向かっている方向が測位しあるいは標定できることから、当該歩行者が横断歩道の枠内から外れた時などには音声あるいはバイブレータの振動により歩く方向を修正させることができる。
図５では、移動体あるいは歩行者の移動を支援するための情報発信装置を第一の情報発信部３と第二の情報発信部２から構成し、当該第一の情報発信部３でもって携帯端末４を搭載しあるいは携帯する移動体あるいは歩行者を第二の情報発信部２の表示パネル２４あるいは操作パネル２５の前面に誘導し、当該第二の情報発信部２の通信手段２２を介して入手した識別情報あるいは場所情報あるいは位置情報あるいはエリア情報あるいは移動あるいは歩行を困難にする状況を克服するための情報を当該表示パネル２４を通じて当該移動体あるいは歩行者に提供することができる。
図６では、図３に示す移動体あるいは歩行者の移動を支援するための情報発信装置１を筐体に収納した時の概念図を示すものであり、第一の情報発信部３と第二の情報発信部２を組込んだものである。
図７は、横断歩道脇の歩道の上部に従来の無線マーカを設置し高周波信号を下方に向けて発信し、２基のアンテナを装着した歩行者が東を向いて立ち、位置を測位した時の位置測位データである。無線マーカは位置６３の上部に設置されており、無線マーカと歩行者に装着したアンテナの間隔は約１ｍ、測定点の半径は６６が２５ｃｍ、６７が５０ｃｍ、６８が７５ｃｍ、６９が１ｍであった。
７１〜８１は位置の測位結果であり、人の形をした（２）の部分は右肩、（１）の部分は左肩を、マルの部分は中間点を示す。位置の測位精度が高く、歩行者の進行方向が正確に標定できていることから、歩行者の誘導あるいは歩行の支援に活用できることが証明された。
【実施例１】
【０００９】
図１は、本発明の情報発信装置の一実施例を示す構成図である。図１において、１は情報発信装置、３は情報発信部、４は携帯端末、１１ａ、１１ｂ、１１ｃ、１１ｄは送信アンテナ、１２はアンテナ切替器、１３はアンテナ部３１の指向性パターン、３１はアンテナ部、３２は情報発信手段および／あるいは受信手段、３６は制御部、３７はデータ蓄積部、３８は外部に設けられたアンテナ、４１ａ、４１ｂは携帯端末４に接続された２基のアンテナである。
情報発信手段および/あるいは受信手段３２の出力は、アンテナ切替器１２により複数のアンテナ１１ａ、１１ｂ、１１ｃ、１１ｄに対して周期的に切替えられ、複数ビットで構成されるシステム同期信号と距離あるいは方向あるいはこれらの両方を測定するための測定信号と当該複数のアンテナが設置されている位置あるいは場所あるいはアンテナの指向性の方向あるいは傾斜角度あるいはこれらの組合わせを含む識別情報あるいは場所情報あるいは位置情報あるいはエリア情報あるいは移動あるいは歩行を困難にする状況を克服するために必要な情報あるいはこれらを組合わせた報知情報を発信している。
当該報知情報はデータ蓄積部３７に予め書込まれておりあるいはダウンロードすることによって書き換えることができる。
当該アンテナ部３１から発信される高周波信号は指向性のパターン１３の幅１２０°以内の方向に発信され、携帯端末４の２基のアンテナ４１ａ、４１ｂで受信される。アンテナ４１ａと４１ｂは例えば２４ｍｓの周期で周期的に切替えられており、当該受信された高周波信号の搬送波信号あるいは副搬送波信号あるいは変調信号あるいはベースバンド信号のタイミングあるいは振幅あるいは周波数あるいは位相を当該アンテナ部３１のアンテナ１１ａ〜１１ｄおよび携帯端末４のアンテナ４１ａ、４１ｂの組合わせ毎に測定することで、当該携帯端末４の場所あるいは位置あるいは向かっている方向を測位しあるいは標定することができる。
試作機を用いて位置の測位実験を行なった結果、測位精度が１０ｃｍ以内である累積確率が約８０％であり、最大誤差は約２０ｃｍ以内であることから、歩行者の誘導あるいは歩行の支援に活用するのに十分な精度と信頼性が実現できる見通しが得られた。
ここで、当該情報発信部３には受信手段が内蔵されているので、携帯端末４からの情報発信要求を受けて情報発信手段を起動することで、当該情報発信装置１の電力消費を低減することが可能であり、太陽電池等を接続して無給電で動作させることができる。
また、当該情報発信装置１の周辺地域に設置されたマスター局あるいは他の情報発信装置から発信される情報を受信する際には、外部に設けられたアンテナ３８に切り替えてバケツリレー方式等の通信手順によって相互通信をすることで、当該情報発信装置１内の制御部３６にデータを直接蓄積しおよび／あるいは当該データ蓄積装置３７にデータのダウンロードを受けることも可能である。
また、当該マスター局から入手する情報に同期信号を含むことで、周辺地域に設置された他の情報発信装置との同期を確保するとともにそれぞれ割り当てられた時間スロットで発信することによって情報発信の競合を避けることができるメリットがある。
また、本システムを効果的に運用するためには位置測位精度を改善することが不可欠である。位置の測位精度は送信アンテナ１１ａ〜１１ｄの間のアイソレーションに依存することが実験により確認されたことから、当該複数の送信アンテナ１１ａ〜１１ｄの中間部および／あるいは周辺部に吸収体および／あるいは遮蔽体を設けおよび／あるいは当該複数のアンテナに２点給電式のセラミックアンテナを用いることにより複数の送信アンテナ１１ａ〜１１ｄの間のアイソレーションを確保し個別にあるいはグループとして独立して機能させることができる。
【実施例２】
【００１０】
図２は、本発明の情報発信装置の運用状態の実施例を示す図である。図２において、１ａ、１ｂ、１ｃ、１ｄ、１ｅ、１ｆ、１ｇ、１ｈは情報発信装置、１３ａ、１３ｂ、１３ｃ、１３ｄ、１３ｅ、１３ｆ、１３ｇ、１３ｈは指向性アンテナのパターン、６１ａ、６１ｂ、６１ｃ、６１ｄは横断歩道、５１ａはマスター局である。
情報発信装置１は、歩道橋の踊り場１０２の近くに取付用鉄柱１０３を設け適当な傾斜角を付けアンテナ１１ａ〜１１ｄの指向性パターン１３が歩道橋の階段１０１の方向に向くように設置されている。
歩道橋の階段１０１を上る歩行者は携帯端末４を携帯し、当該携帯端末４には歩行者の両肩に装着されたアンテナ４１ａ、４１ｂが接続されている。
携帯端末４のアンテナ４１ａと４１ｂの間隔は３４ｃｍ程度であり、試作機を用いた位置の測位実験を行った結果を図５に示すように歩行者の両肩の位置が高い精度で測位できることから、情報発信装置１から発信される報知情報に基づいて歩行者を誘導しあるいは移動を支援することで、安全に歩道橋の階段１０１を上り下りさせることができる。
ここで、情報発信装置１を１台設置した場合について説明したが、必要に応じてアンテナ部のみを外部に追加接続して周期的に切替え、あるいは複数台を上部あるいは後方に設置することで更なる安全が確保できる。
また、情報発信装置１から発信される高周波信号の電力をサービスエリアの大きさに応じてあらかじめ設定しておきあるいは携帯端末４からの距離に応じて制御し、あるいは複数の情報発信装置を設けた場合には時分割により間欠発信させることで相互の干渉を排除することができる。
また、当該情報発信装置１を歩道橋の他に駅のプラットホームあるいはビル等の階段あるいは屋内の通路あるいは車道脇の歩道あるいは横断歩道あるいはバリアフリ道路あるいは移動体あるいは歩行者が移動する径路の上部あるいは下部あるいは側部あるいはこれらの組合わせによる個所に設置しても同様な効果が得られる。
【実施例３】
【００１１】
図３は、本発明の情報発信装置の運用状態の他の実施例を示す図である。図３において、１ａ〜１ｈは複数の情報発信装置、１３ａ〜１３ｈは指向性アンテナのパターン、５１はマスター局、６１ａ〜６１ｄは横断歩道である。
複数の情報発信装置１ａ〜１ｈに接続されたアンテナの指向性パターン１３ａ〜１３ｈは、横断歩道６１ａ〜６１ｄの方向に向けて設置されている。
当該複数の報知情報１ａ〜１ｈは、マスター局５１から発信される同期信号に同期してそれぞれに割り当てられた時間スロットで情報を発信するので、お互いに競合することが回避できる。
【実施例４】
【００１２】
図４は、本発明の情報発信装置の運用状態の他の実施例を示す図である。図４において、１ａ、１ｈは情報発信装置、４は携帯端末、１３ａ、１３ｈはアンテナの指向性パターン、４１ａ、４１ｂは携帯端末４に接続されたアンテナ、６１ａは横断歩道である。
情報発信装置１ａと１ｈは横断歩道６１ａの両端に設置され、当該情報発信装置の１ａおよび１ｈに接続されたアンテナの指向性パターン１３ａおよび１３ｈは横断歩道６１ａの方向に対向する形で向かい合って設置されている。
携帯端末４を携帯する例えば歩行者が自分の両肩にアンテナ４１ａ、４１ｂを装着し横断歩道６１ａを渡ろうとしているものとする。当該携帯端末４に接続されたアンテナ４１ａと４１ｂが、当該情報発信装置１ａおよび１ｈから発信されている位置測位に必要な信号を受信することで、当該アンテナ４１ａおよび４１ｂの位置を高精度で測位できると、当該歩行者の現在の位置を測位し向かっている方向を標定出来るので、当該歩行者が横断歩道６１ａの枠からはみ出した場合には、音声あるいは両肩のアンテナのいずれかを振動させることで、枠内に戻るよう誘導することができる。
ここで、両肩のアンテナ４１ａと４１ｂの間隔が約３４ｃｍとすると、位置の測位精度が±１０ｃｍが実現できるので、当該歩行者が横断歩道６１ａの枠内にいるか、枠内からどちらの方向にずれているかなどが正確に標定できることから、当該歩行者を安全に誘導することが可能となる。
また、当該歩行者に対して、情報発信装置１ａと１ｈの２方向から測定信号が発信されるので、両者の平均値を求めることで位置の測位精度を高めることができる。
また、当該歩行者を誘導するために両肩のアンテナ４１ａあるいは４１ｂの接続ケーブルにバイブレータの起動信号を重畳することが可能である。
【実施例５】
【００１３】
図５は、本発明の情報発信装置の他の実施例を示す構成図である。図５において、１は情報発信装置、２は第二の情報発信部、３は第一の情報発信部、４は携帯端末、１１ａ、１１ｂ、１１ｃ、１１ｄは第一の情報発信部３のアンテナ、１２はアンテナ切替器、１３はアンテナ部３１の指向性パターン、２１は通信回線、２２は通信手段およびデータ蓄積部、２３は操作表示制御部、２４は表示パネル、２５は操作パネル、３１はアンテナ部、３２は情報発信手段および／あるいは受信手段、３６は制御部、４１は携帯端末４に接続されたアンテナである。
情報発信手段および/あるいは受信手段３２の出力は、アンテナ切替器１２により複数のアンテナ１１ａ、１１ｂ、１１ｃ、１１ｄに対して周期的に切替えられ、複数ビットで構成されるシステム同期信号と距離あるいは方向あるいはこれらの両方を測定するための測定信号と当該複数のアンテナが設置されている位置あるいは場所あるいはアンテナの指向性の方向あるいは傾斜角度あるいはこれらの組合わせを含む識別情報あるいは場所情報あるいは位置情報あるいはエリア情報あるいは移動あるいは歩行を困難にする状況を克服するために必要な情報あるいはこれらを組合わせた報知情報を発信している。
当該報知情報は通信回線２１を介して通信手段およびデータ蓄積部２２に予め書込まれておりあるいはダウンロードすることによって書き換えられ必要に応じて制御部３６に転送させることができる。
【００１４】
当該アンテナ部３１から発信される高周波信号は指向性パターン１３の幅１２０°以内の方向に発信され、携帯端末４のアンテナ４１（必要に応じて２基のアンテナを接続することも可能）で受信される。（２基のアンテナを接続した場合には例えば２４ｍｓの周期で周期的に切替えられる。）当該携帯端末により受信された高周波信号の搬送波信号あるいは副搬送波信号あるいは変調信号あるいはベースバンド信号のタイミングあるいは振幅あるいは周波数あるいは位相を当該アンテナ部３１のアンテナ１１ａ〜１１ｄ毎に測定することで、当該携帯端末４の場所あるいは位置あるいは向かっている方向を測位しあるいは標定することができる。
試作機を用いて位置の測位実験を行なった結果、測位精度が高く、歩行者の誘導あるいは歩行の支援に活用するのに十分な精度と信頼性が実現できる見込みが得られた。
ここで、当該情報発信部３には受信手段が内蔵されているので、携帯端末４からの情報発信要求を受けて情報発信手段を起動することで、当該第一の情報発信部３の電力消費を低減することが可能である。
また、当該情報発信装置１の周辺地域に設置された他の情報発信装置とはバケツリレー方式等の通信手順によって通信することで、当該通信手段およびデータ蓄積装置２２にデータのダウンロードを受けることも可能である。
【実施例６】
【００１５】
図６は、本発明の情報発信装置の運用状態の他の実施例を示す図である。図６において、１は情報発信装置、２は第二の情報発信部、３は第一の情報発信部、４は携帯端末、１１ａ、１１ｂ、１１ｃ、１１ｄは第一の情報発信部３のアンテナ、１２ａ、１２ｂはアンテナ１１ａ〜１１ｄの間隔、１３はアンテナ１１ａ〜１１ｄの指向性パターン、２１は通信回線、２２は通信手段およびデータ蓄積部、２３は操作表示制御部、２４は表示パネル、２５は操作パネル、３１はアンテナ部、３２は情報発信手段および／あるいは受信手段、３６は制御部、４１ａ、４１ｂは携帯端末４に接続されたアンテナである。
情報発信装置１は、歩道の脇あるいは広場あるいは歩行者の径路脇などに設けアンテナ１１ａ〜１１ｄの指向性パターン１３を歩行者の歩行径路に向けて設置されている。
移動体あるいは歩行者は携帯端末４およびアンテナ４１ａ、４１ｂを搭載しあるいは携帯し当該情報発信装置１の方向を標定してその方向に移動を開始し自分の向いている方向を調整しながら、当該情報発信装置１から報知される報知情報に従って当該情報発信装置１に接近することができる。
ここで、第一の情報発信部３を１式搭載した場合について説明したが、必要に応じてアンテナ部３１を間隔をおいて追加接続して周期定期に切替え、あるいは複数台を間隔を離して設置することで誘導あるいは支援をより確実にすることができる。
また、第一の情報発信部３から発信される高周波信号の電力をサービスエリアの大きさに応じてあらかじめ設定しておきあるいは携帯端末４からの距離に応じて制御し、あるいは複数の情報発信装置を設けた場合には時分割により間欠発信させることで相互の干渉を排除することができる。
【実施例７】
【００１６】
図７は、従来の無線マーカの試作機を用いて位置の測位実験を行なった結果を示す図である。図７において、６１は横断歩道、６２は街路灯柱、６３は上部に無線マーカを設置した中心の位置、６４は東西の座標軸（Ｙ軸とする）、６５は南北の座標軸（Ｘ軸とする）、６６は中心の位置６３から半径２５ｃｍの円周、６７は中心の位置６３から半径５０ｃｍの円周、６８は中心の位置６３から半径７５ｃｍの円周、６９は中心の位置６３から半径１ｍの円周、７１〜８１は位置の測位結果である。
横断歩道６１に近接して設置された街路灯柱６２に約７５ｃｍの腕木を設けて中心の位置６３の上空２．５ｍの位置に無線マーカを取り付ける。当該中心の位置６３から半径２５ｃｍの円周６６、半径５０ｃｍの円周６７、半径７５ｃｍの円周６８、および半径１ｍの円周６９とＹ軸６４あるいはＸ軸６５との交点で歩行者の両肩の高さ約１．５ｍの位置を測位する。
歩行者の両肩の位置を測位した結果、Ｘ＝０ｃｍ、Ｙ＝５０ｃｍの位置で測位結果７１、Ｘ＝０ｃｍ、Ｙ＝２５ｃｍの位置で測位結果７２、Ｘ＝０ｃｍ、Ｙ＝０ｃｍの位置で測位結果７３、Ｘ＝０ｃｍ、Ｙ＝−２５ｃｍの位置で測位結果７４、Ｘ＝０ｃｍ、Ｙ＝−５０ｃｍの位置で測位結果７５、Ｘ＝０ｃｍ、Ｙ＝−７５ｃｍの位置で測位結果７６、Ｘ＝０ｃｍ、Ｙ＝−１ｍの位置で測位結果７７、Ｘ＝−１ｍ、Ｙ＝０ｃｍの位置で測位結果７８、Ｘ＝−５０ｃｍ、Ｙ＝０ｃｍの位置で測位結果７９、Ｘ＝５０ｃｍ、Ｙ＝０ｃｍの位置で測位結果８０であった。
ここで、（１）は歩行者の左肩、（２）は歩行者の右肩であるが、歩行者の両肩の間隔が３４ｃｍから一部の位置では拡大されているが、両肩の中間を頭の位置と仮定して各位置測位点の座標と測位結果を比較すると、測位精度１０ｃｍの累積確率が約８０％、最大誤差が約２０ｃｍ以内であった。
【００１７】
以上の説明では、高周波信号を放射しあるいは受信するアンテナを用いる場合について述べたが、超音波トランスデューサーあるいは超音波送波器を用いて超音波信号を発信し、超音波トランスデューサーあるいは超音波受波器を用いて超音波信号を受信し、あるいは発光ダイオードあるいはレーザーダイオードを用いて光信号を発信し、ホトダイオードを用いて光信号を受信することでも同様な効果が得られる。なお、本出願では、超音波トランスデューサーあるいは超音波送受波器と発光ダイオードあるいはレーザーダイオードあるいはホトダイオードを総称して送受波器と呼称するものとする。また、送受波器の送波器あるいは受波器のみを用いる場合でも送受波器として記載している。
また、当該情報発信装置から微弱な電力のＧＰＳ信号あるいはＧＰＳとコンパチブルな信号を発信することで、屋外ではＧＰＳ衛星局を利用し屋内では当該情報発信手段を利用して位置の測位が可能となり、ＧＰＳのシームレス化が可能となる。
また、当該情報発信装置の代わりに情報中継装置を用いても同様の効果が得られる。
また、当該情報発信装置の複数台が近接して設置される場合、ZigBeeセンサーネットワーク、Bluetoothあるいは無線ＬＡＮなどの無線通信手段によりネットワークを構成し、同期信号を配分することによって情報発信のタイミングを制御し、情報発信の衝突をさけることができる。
また、当該複数の送受波器あるいは複数のアンテナを当該超音波信号あるいは高周波信号あるいは光信号の搬送波信号あるいは副搬送波信号あるいは変調信号あるいはベースバンド信号の波長の１波長以下の間隔で配置して周期的に切替え、当該複数の送受波器あるいは複数のアンテナを複数組設け当該複数組を当該超音波信号あるいは高周波信号あるいは光信号の搬送波信号あるいは副搬送波信号あるいは変調信号あるいはベースバンド信号の波長の１波長以上の間隔で配置して周期的に切替えることで位置の測位精度をさらに向上させることができる。
【産業上の利用可能性】
【００１８】
本発明の情報発信装置を用いると移動体あるいは歩行者の居る場所あるいは位置が高い精度で測位できあるいは向かっている方向が高い精度で評定できることと、位置情報あるいはエリア情報あるいは移動あるいは歩行を困難にする状況を克服するために必要な情報あるいはこれらを組合わせた報知情報を活用することにより、移動体あるいは歩行者あるいはロボット等を誘導しあるいは移動を支援することが可能となり、ロボットに自力歩行機能を附加するなどの新規の産業を喚起することができるメリットがある。
【図面の簡単な説明】
【００１９】
【図１】本発明の情報発信装置の一実施例を示す構成図である。
【図２】本発明の情報発信装置の運用状態の実施例を示す図である。
【図３】本発明の情報発信装置の運用状態の他の実施例を示す図である。
【図４】本発明の情報発信装置の運用状態の他の実施例を示す図である。
【図５】本発明の情報発信装置の他の実施例を示す構成図である。
【図６】本発明の情報発信装置の運用状態の他の実施例を示す図である。
【図７】従来の無線マーカの試作機を用いて位置の測位実験を行なった結果を示す図である。
【図８】従来の無線マーカの構成を示す図である。
【符号の説明】
【００２０】
１、１ａ、１ｂ、１ｃ、１ｄ            情報発信装置
１ｅ、１ｆ、１ｇ、１ｈ                情報発信装置
２                                    第二の情報発信部
３                                    情報発信部あるいは第一の情報発信部
４                                    携帯端末
１１ａ、１１ｂ、１１ｃ、１１ｄ        指向性アンテナ
１２                                  アンテナ切替器
１３、１３ａ、１３ｂ、１３ｃ、１３ｄ  アンテナ部の指向性パターン
１３ｅ、１３ｆ、１３ｇ、１３ｈ        アンテナ部の指向性パターン
２１                                  通信回線
２２                                  通信手段およびデータ蓄積部
２３                                  表示操作制御部
２４                                  表示部
２５                                  操作パネル
３１                                  アンテナ部
３２                                  情報発信手段および/あるいは受信手段
３６                                  制御部
３７                                  データ蓄積部
３８                                  外部に接続したアンテナ
４１、４１ａ、４１ｂ                  受信アンテナ
４２                                  受信アンテナ４１ａ、４１ｂの間隔
５１                                  マスター局
６１、６１ａ、６１ｂ、６１ｃ、６１ｄ  横断歩道
６２                                  街路灯柱
６３                                  無線マーカを設置した中心の位置
６４                                  Ｙ軸
６５                                  Ｘ軸
６６                                  半径２５ｃｍの円周
６７                                  半径５０ｃｍの円周
６８                                  半径７５ｃｍの円周
６９                                  半径１ｍの円周
７１〜８０                            位置測位実験の結果
１０１                                歩道橋の階段
１０２                                歩道橋の踊り場
１０３                                取付用鉄柱
【図１】
2007193766.tif 000003
【図２】
2007193766.tif 000004
【図３】
2007193766.tif 000005
【図４】
2007193766.tif 000006
【図５】
2007193766.tif 000007
【図６】
2007193766.tif 000008
【図７】
2007193766.tif 000009
【図８】
2007193766.tif 000010